(57)【要約】【課題】受信信号の電界強度とＤＵ比に応じて帯域通過フィルタの特性を適切に選択できるデジタル放送用ダイバーシティ受信装置を提供すること。【解決手段】帯域制限部６ａ，６ｂは、選局処理部４ａ，４ｂからの中間周波信号に対し通過帯域幅の異なる複数の通過特性を選択して帯域制限を施して出力する。制御部１１は、視聴チャネルの電界強度Ｅｄ、およびこれに隣接する隣接チャネルの電界強度との比であるＤＵ比を取得し、帯域制限部６ａ，６ｂの通過特性を選択する。電界強度Ｅｄが狭帯域通過特性を用いたときの所要電界強度よりも小さいときは広帯域通過特性を選択し、ＤＵ比が広帯域通過特性を用いたときの所要ＤＵ比よりも小さいときは狭帯域通過特性を選択する。【選択図】図１
2011120006.tif 000002
【特許請求の範囲】
【請求項１】
第１のチューナ部と、第２のチューナ部と、復調部とを備えるデジタル放送用ダイバーシティ受信装置において、
前記第１のチューナ部と前記第２のチューナ部は、それぞれ、アンテナで受信した高周波信号を中間周波信号に周波数変換して選局を行なう選局処理部と、該中間周波信号に対し通過帯域幅の異なる複数の通過特性から選択された通過特性にて帯域制限を施して出力する帯域制限部とを有し、
前記復調部は、前記第１のチューナ部と前記第２のチューナ部から出力される中間周波信号の復調とダイバーシティ処理を行なうとともに、前記帯域制限部に対しその通過特性を選択するための制御信号を出力する制御部を有し、
前記制御部は、前記第１のチューナ部または前記第２のチューナ部で受信する視聴チャネルの電界強度Ｅｄ、および該視聴チャネルの電界強度と該視聴チャネルに隣接する隣接チャネルの電界強度の比であるＤＵ比を取得し、取得した電界強度ＥｄおよびＤＵ比に基づき前記帯域制限部の通過特性を選択することを特徴とするデジタル放送用ダイバーシティ受信装置。
【請求項２】
請求項１に記載のデジタル放送用ダイバーシティ受信装置において、
前記隣接チャネルの電界強度を取得する場合、前記復調部は前記第１のチューナ部と前記第２のチューナ部からの信号を最大比合成するダイバーシティ処理を停止し、前記第１のチューナ部にて視聴チャネルを選局し該第１のチューナ部の出力から視聴チャネルの電界強度を取得するとともに、前記第２のチューナ部にて視聴チャネルに隣接する隣接チャネルを選局し該第２のチューナ部の出力から隣接チャネルの電界強度を取得することを特徴とするデジタル放送用ダイバーシティ受信装置。
【請求項３】
請求項１または２に記載のデジタル放送用ダイバーシティ受信装置において、
前記帯域制限部は、通過帯域幅の広い第１の通過特性と、該第１の通過特性よりも通過帯域幅の狭い第２の通過特性を有し、
前記制御部は、前記取得した電界強度Ｅｄが前記第２の通過特性を用いたときの所要電界強度よりも小さいときは前記第１の通過特性を選択し、前記取得したＤＵ比が前記第１の通過特性を用いたときの所要ＤＵ比よりも小さいときは前記第２の通過特性を選択することを特徴とするデジタル放送用ダイバーシティ受信装置。
【請求項４】
請求項３に記載のデジタル放送用ダイバーシティ受信装置において、
前記帯域制限部が選択する通過特性を前記第１の通過特性と前記第２の通過特性との間で切替える場合、前記第１、第２のチューナ部のいずれか一方のチューナ部における帯域制限部の切替えを先行して行い、
切り替えが行なわれたチューナ部から出力される中間周波信号が前記復調部で復調可能となった後に、他方のチューナ部における帯域制限部の切替えを行うことを特徴とするデジタル放送用ダイバーシティ受信装置。
【請求項５】
請求項１または２に記載のデジタル放送用ダイバーシティ受信装置において、
前記帯域制限部は、前記通過帯域幅が連続的に変化可能な通過特性を有することを特徴とするデジタル放送用ダイバーシティ受信装置。
【請求項６】
第１のチューナ部と、第２のチューナ部と、復調部とを備えるデジタル放送用ダイバーシティ受信装置において、
前記第１のチューナ部と前記第２のチューナ部は、それぞれ、アンテナで受信した高周波信号を中間周波信号に周波数変換する選局処理を行なう選局処理部と、該選局処理部から出力される中間周波信号が通過する経路として第１の経路もしくは第２の経路を選択するスイッチ手段と、該第１の経路上に配置され前記中間周波信号に第１の帯域通過幅にて帯域制限を施す第１のフィルタと、第２の経路上に配置され前記中間周波信号に第２の帯域通過幅にて帯域制限を施す第２のフィルタと、該第１のフィルタもしくは該第２のフィルタから出力される中間周波信号を利得調整して出力する利得制御部を備え、
前記復調部は復調処理部と制御部とを含み、該復調処理部は、前記第１のチューナ部と前記第２のチューナ部の前記利得制御部から出力される２系統の中間周波信号を復調処理し、最大比合成によるダイバーシティ処理を行ないデジタル信号としてバックエンド部に出力するとともに、前記第１のチューナ部と前記第２のチューナ部が選局している高周波信号の各々の電界強度を取得して前記制御部に出力し、該制御部は、視聴に使用する希望周波数チャネル信号の電界強度Ｅｄ、および該希望周波数チャネル信号の電界強度と該希望周波数チャネル信号に隣接する隣接周波数チャネル信号の電界強度との比であるＤＵ比を取得し、取得した電界強度ＥｄおよびＤＵ比に基づき前記スイッチ手段に対して前記第１の経路もしくは前記第２の経路を選択する制御信号を出力することを特徴とするデジタル放送用ダイバーシティ受信装置。
【発明の詳細な説明】
【技術分野】
【０００１】
本発明は、地上デジタル放送などを良好な受信状態で受信するデジタル放送用ダイバーシティ受信装置に関する。
【背景技術】
【０００２】
地上デジタル放送等の放送システムでは、多数の番組が周波数分割されたチャネルによって伝送されている。地上デジタル放送ではおおよそ４７０ＭＨｚから７７０ＭＨｚのＵＨＦ帯の電波が使用され、周波数チャネルのチャネル間隔は６ＭＨｚである。放送地域によってどの周波数チャネルが使用されるかは様々であるが、互いに隣接する放送チャネルで放送サービスが実施される場合がある。この場合、ユーザが視聴を所望する周波数チャネルの電界強度に対して、隣接する周波数チャネルの電界強度が強大であると、この隣接チャネルの信号はユーザが視聴を所望するチャネルに対する妨害信号となり、所望チャネルの受信状態を劣化させることになる。
【０００３】
デジタル放送用受信装置では、隣接妨害信号による受信状態の劣化を防止するため、所望の信号を通過させ隣接妨害信号を抑圧する中間周波信号用フィルタを備えている。例えば特許文献１には、中間周波信号用フィルタとして複数の特性を備え、妨害電波に応じてフィルタの特性を選定して用いることが開示されている。
【０００４】
一方、自動車などの移動体において地上デジタル放送を受信する装置では、複数系統のチューナを備えるダイバーシティ受信装置が用いられている。例えば特許文献２には、放送地域をまたがって移動しても地域ごとの放送を継続して選局することを目的に、第１の受信系統を用いて所望のチャネルの放送を視聴しつつ、第２の受信系統を用いて現在視聴しているチャネル以外の視聴可能チャネルをサーチする方法が開示されている。
【先行技術文献】
【特許文献】
【０００５】
【特許文献１】特開２００３−２１８７１３号公報
【特許文献２】特開２００４−３２０４０６号公報
【発明の概要】
【発明が解決しようとする課題】
【０００６】
デジタル放送の受信状態を示す指標として、受信装置に入力する受信信号の電界強度ＥとＤＵ比がある。ここでＤＵ比とは、受信希望信号（Desired）の電界強度と妨害信号（Undesired）の電界強度の比であり、妨害信号の電力が相対的に大きくなるとＤＵ比が小さくなる。電界強度ＥやＤＵ比が小さくなると、復調部からの出力信号に誤りが発生することになる。また、受信装置の性能を示す指標として「所要電界強度」と「所要ＤＵ比」がある。所要電界強度と所要ＤＵ比は、復調部出力信号に含まれる誤りをエラーフリーとして許容される値以下にできる最小の電界強度とＤＵ比であり、所要電界強度と所要ＤＵ比の値が小さいほど受信装置の性能は良いことになる。
【０００７】
受信装置には、所要ＤＵ比を改善するため、中間周波信号用の帯域制限フィルタであるバンドパスフィルタが設けられている。通過帯域幅の狭い帯域制限フィルタ（狭帯域通過フィルタ）を用いる場合、希望信号の周波数に近い妨害信号を大きく抑圧し、所要ＤＵ比を大幅に小さくすることができる。しかし、希望信号の一部も抑圧されてしまうため、所要電界強度を大きくしてしまう。一方、通過帯域幅の広い帯域制限フィルタ（広帯域通過フィルタ）を用いる場合、希望信号の周波数に近い妨害信号の抑圧度が小さく、所要ＤＵ比の改善量は小さいが、希望信号の抑圧は少なく、所要電界強度は変わらない。このように、中間周波信号用の帯域制限フィルタの通過帯域幅は、受信装置の所要電界強度と所要ＤＵ比の性能に影響を与えるものであるから、入力する受信信号の電界強度ＥとＤＵ比の状態に合わせて適切に選定せねばならない。
【０００８】
特許文献１に開示されるデジタル放送受信機は、送信周波数のオフセットから隣接妨害信号の有無を判断し、妨害信号がある場合には狭帯域通過フィルタを選択し、妨害信号がない場合には広帯域通過フィルタを選択するものである。この場合、受信信号の電界強度の状態は全く考慮されておらず、フィルタを最適に選択することができない。例えば、受信信号の電界強度が所要電界強度に対して余裕がない場合でも、妨害信号がある場合には常に狭帯域通過フィルタを選択することになり、所要電界強度を満足しない場合が生じる。また、隣接妨害信号の有無の判断を送信周波数のオフセットにより行っており、実際に受信した信号のＤＵ比に基づいている訳ではないので、確実とは言えない。
【０００９】
また特許文献２に開示されるダイバーシティ受信装置では、第２の受信系統を用いて他のチャネル、例えば隣接妨害信号となり得るチャネルの受信状況を知ることができる。しかしながら、移動体での自動選局を目的としているため、受信中の希望信号に対する隣接妨害信号を抑圧するためにＤＵ比を算出することや、ＤＵ比が劣化した場合にフィルタを切り替えるなどの技術は必要ではなく、何ら考慮されていない。
【００１０】
本発明の目的は、受信信号の電界強度とＤＵ比に応じて帯域通過フィルタの特性を適切に選択できるデジタル放送用ダイバーシティ受信装置を提供することである。
【課題を解決するための手段】
【００１１】
本発明は、第１のチューナ部と、第２のチューナ部と、復調部とを備えるデジタル放送用ダイバーシティ受信装置であって、前記第１のチューナ部と前記第２のチューナ部は、それぞれ、アンテナで受信した高周波信号を中間周波信号に周波数変換して選局を行なう選局処理部と、該中間周波信号に対し通過帯域幅の異なる複数の通過特性から選択された通過特性にて帯域制限を施して出力する帯域制限部とを有し、前記復調部は、前記第１のチューナ部と前記第２のチューナ部から出力される中間周波信号の復調とダイバーシティ処理を行なうとともに、前記帯域制限部に対しその通過特性を選択するための制御信号を出力する制御部を有する。前記制御部は、前記第１のチューナ部または前記第２のチューナ部で受信する視聴チャネルの電界強度Ｅｄ、および該視聴チャネルの電界強度と該視聴チャネルに隣接する隣接チャネルの電界強度の比であるＤＵ比を取得し、取得した電界強度ＥｄおよびＤＵ比に基づき前記帯域制限部の通過特性を選択する。
【００１２】
好ましくは、前記帯域制限部は、通過帯域幅の広い第１の通過特性と、該第１の通過特性よりも通過帯域幅の狭い第２の通過特性を有し、前記制御部は、前記取得した電界強度Ｅｄが前記第２の通過特性を用いたときの所要電界強度よりも小さいときは前記第１の通過特性を選択し、前記取得したＤＵ比が前記第１の通過特性を用いたときの所要ＤＵ比よりも小さいときは前記第２の通過特性を選択する。
【発明の効果】
【００１３】
本発明によれば、受信状態が変化しても常に良好な品質の信号を出力するデジタル放送用ダイバーシティ受信装置を提供できる。
【図面の簡単な説明】
【００１４】
【図１】本発明によるデジタル放送用ダイバーシティ受信装置の一実施例を示すブロック図。
【図２】復調処理部１０の内部構成の一例を示す図。
【図３】広帯域通過フィルタの動作例を示す図。
【図４】狭帯域通過フィルタの動作例を示す図。
【図５】受信装置に入力する信号の電界強度とＤＵ比の許容範囲を示す図。
【図６】本実施例におけるフィルタ選択制御を示すフローチャート。
【図７】図６における隣接妨害信号の電界強度の取得工程を示すフローチャート。
【図８】図６におけるフィルタ切替工程を詳細に示すフローチャート。
【図９】本発明によるデジタル放送用ダイバーシティ受信装置の他の実施例を示すブロック図。
【発明を実施するための形態】
【００１５】
以下、本発明の実施形態について図面を用いて説明する。
【実施例１】
【００１６】
図１は、本発明によるデジタル放送用ダイバーシティ受信装置の一実施例を示すブロック図である。デジタル放送用ダイバーシティ受信装置１は、２つの受信系統、すなわちチューナ部３ａとチューナ部３ｂとを備える。
【００１７】
まず第１の受信系統であるチューナ部３ａの構成について説明する。アンテナ２aより入力された高周波信号は、選局処理部４ａに入力される。選局処理部４ａは、高周波信号を中間周波信号に周波数変換する選局処理を行ない、スイッチ手段５ａへ中間周波信号を出力する。スイッチ手段５ａおよびスイッチ手段７ａは、後段の制御部１１からの制御信号に従い、通過帯域幅の広い広帯域通過フィルタ６ａ−１を通過する経路（１）、もしくは通過帯域幅の狭い狭帯域通過フィルタ６ａ−２を通過する経路（２）のいずれかを選択する。
【００１８】
スイッチ手段５ａおよびスイッチ手段７ａにより経路（１）が選択された場合、選局処理部４ａから出力された中間周波信号は、広帯域通過フィルタ６ａ−１により周波数帯域が制限され、利得制御部８ａに入力される。スイッチ手段５ａおよびスイッチ手段７ａにより経路（２）が選択された場合、選局処理部４ａから出力された中間周波信号は、狭帯域通過フィルタ６ａ−２により周波数帯域が制限され、利得制御部８ａに入力される。
【００１９】
利得制御部８ａの利得は、後段の復調処理部１０からの利得制御信号（図示せず）によって制御され、利得制御部８ａが出力する中間周波信号は復調処理部１０に入力される。復調処理部１０の安定な動作のためには、入力される中間周波信号の振幅を一定に保つ必要がある。そこで、復調処理部１０において、入力された中間周波信号を検波し、その振幅が一定の強度となるように利得制御部８ａの利得を制御するＡＧＣ（Automatic Gain Control）回路を構成している。
【００２０】
次に第２の受信系統であるチューナ部３ｂの構成について説明する。アンテナ２ｂより入力された高周波信号は、選局処理部４ｂに入力される。選局処理部４ｂは、高周波信号を中間周波信号に周波数変換する選局処理を行ない、スイッチ手段５ｂへ中間周波信号を出力する。スイッチ手段５ｂおよびスイッチ手段７ｂは、後述する制御部１１からの制御信号に従い、広帯域通過フィルタ６ｂ−１を通過する経路（３）、もしくは狭帯域通過フィルタ６ｂ−２を通過する経路（４）のいずれかを選択する。
【００２１】
スイッチ手段５ｂおよびスイッチ手段７ｂにより経路（３）が選択された場合、選局処理部４ｂから出力された中間周波信号は、広帯域通過フィルタ６ｂ−１により周波数帯域が制限され、利得制御部８ｂに入力される。スイッチ手段５ｂおよびスイッチ手段７ｂにより経路（４）が選択された場合、選局処理部４ｂから出力された中間周波信号は、狭帯域通過フィルタ６ｂ−２により周波数帯域が制限され、利得制御部８ｂに入力される。
【００２２】
利得制御部８ｂは利得制御部８ａと同様に、後段の復調処理部１０からの利得制御信号（図示せず）に従いＡＧＣ制御が実施され、一定の振幅の中間周波信号を復調処理部１０に出力する。
【００２３】
復調部９は、復調処理部１０および制御部１１を含む構成となっている。ダイバーシティ受信装置では、通常受信時には、２つの受信系統により同一周波数にある高周波信号を選局する。この場合、復調処理部１０は、上記２系統のチューナ部３ａおよびチューナ部３ｂから入力された中間周波信号を復調処理し、さらに最大比合成によるダイバーシティ処理を行ない、処理後のデジタル信号を後段のバックエンド部（図示せず）に出力する。バックエンド部では、デジタル圧縮された信号を伸長し、映像信号および音声信号としてディスプレイやスピーカに出力する。
【００２４】
さらに復調部９は、チューナ部３ａ，３ｂで受信している高周波信号の電界強度と、視聴チャネルと隣接チャネル（隣接妨害信号）の電界強度の比（ＤＵ比）を測定して、それらの受信状態に応じて前記した広帯域通過フィルタ６ａ−１、６ｂ−１、または狭帯域通過フィルタ６ａ−２、６ｂ−２を選択する構成としている。
【００２５】
復調処理部１０は、チューナ部３ａおよびチューナ部３ｂの両系統に入力する信号の電界強度情報を取得して、制御部１１に出力する。またＤＵ比を取得する際には、ダイバーシティ受信装置の有する２つの受信系統を使い分けて使用する。すなわち、例えばチューナ部３ａはユーザが視聴中の高周波信号（希望信号）を受信し、チューナ部３ｂは希望信号に隣接する周波数チャネルの高周波信号（隣接妨害信号）を受信する状態に切り替える。そして、両者から希望信号の電界強度と隣接妨害信号の電界強度を取得して、制御部１１に出力する。制御部１１は、希望信号の電界強度と隣接妨害信号の電界強度の比であるＤＵ比を算出する。そして、取得した希望信号の電界強度と算出したＤＵ比の両方の値に基づき、最適な帯域通過フィルタを選択するように、スイッチ手段５ａ、７ａ、５ｂ、７ｂに制御信号を出力する。
【００２６】
図２は、復調処理部１０の内部構成の一例を示す図である。電界強度測定部１２ａ，１２ｂは、それぞれ、チューナ部３ａ，３ｂの両系統に入力する高周波信号の電界強度を求め、制御部１１へ出力する。そのため、まずチューナ部３ａ，３ｂから電界強度測定部１２ａ，１２ｂに出力された中間周波信号の電界強度を測定する。そして、現在接続中の帯域通過フィルタ６ａ−１、６ｂ−１、６ａ−２、６ｂ−２のフィルタゲインと、復調処理部１０が出力する利得制御部８ａ，８ｂへの利得制御情報を用いて、測定した電界強度を逆補正することでチューナ部３ａ，３ｂへの入力信号の電界強度を求めることができる。
【００２７】
合成部１３は、通常受信時には２つのチューナ部３ａ，３ｂから出力された中間周波信号に対し、復調処理および最大比合成によるダイバーシティ処理を施す。一方、ＤＵ比取得の期間においては、２つのチューナ部３ａ，３ｂのうち視聴チャネルを選局しているチューナ部（例えば３ａ）が出力する中間周波信号のみに復調処理を施し、バックエンド部へ出力する。
【００２８】
次に、広帯域通過フィルタ６ａ−１、６ｂ−１と狭帯域通過フィルタ６ａ−２、６ｂ−２の動作を比較して説明する。
図３は、広帯域通過フィルタの動作例を示す図である。広帯域通過フィルタ６ａ−１、６ｂ−１の周波数特性をフィルタゲイン２１として示す。そして、フィルタ通過前後の希望信号３０，３１、および希望信号に隣接するチャネルの隣接妨害信号４０，４１の電界強度を示す。隣接妨害信号には、希望信号から見て低い周波数に位置する妨害信号（下隣接妨害信号）と、希望信号から見て高い周波数に位置する妨害信号（上隣接妨害信号）とが存在するが、ここではその両方を示している。広帯域通過フィルタ６ａ−１、６ｂ−１を使用した場合、通過前後の希望信号３０，３１はその帯域幅に渡り強度が減衰しないので、電界強度は劣化しない。一方隣接妨害信号４０，４１は、帯域幅の大部分の強度が抑圧されるものの希望信号３１に近い部分４１’は十分抑圧されずに残ってしまう。その結果、希望信号３１に対する隣接妨害信号４１のＤＵ比の改善は不十分となる。
【００２９】
図４は、狭帯域通過フィルタの動作例を示す図である。狭帯域通過フィルタ６ａ−２、６ｂ−２の周波数特性をフィルタゲイン２２として示す。そして、フィルタ通過前後の希望信号３０，３２、および希望信号に隣接するチャネルの隣接妨害信号４０，４２の電界強度を示す。狭帯域通過フィルタ６ａ−２、６ｂ−２を使用した場合、通過前後の隣接妨害信号４０，４２はその帯域幅に渡り強度が抑圧されるので、所望のＤＵ比の改善が得られる。一方希望信号３０，３２は、隣接妨害信号４２に近い部分３２’の強度が減衰してしまう。その結果、希望信号３２の電界強度の劣化を招くことになる。
【００３０】
図５は、受信装置に入力する信号の電界強度とＤＵ比の許容範囲を示す図である。横軸はチューナ部に入力する希望信号の電界強度Ｅｄ、縦軸はＤＵ比であり、広帯域通過フィルタおよび狭帯域通過フィルタを使用したときの受信可能な範囲をそれぞれ示している。受信可能な範囲とは、復調処理後の出力信号に含まれる誤りがエラーフリーとして許容される値以下となる範囲であり、そのための電界強度ＥｄとＤＵ比の最小値（閾値）が所要電界強度と所要ＤＵ比である。ここでは所要電界強度と所要ＤＵ比はそれぞれ２つの閾値を有しており、所要電界強度をＥ１，Ｅ２（ただしＥ１＜Ｅ２）、所要ＤＵ比をＤＵ１，ＤＵ２（ただしＤＵ１＜ＤＵ２）とする。
【００３１】
広帯域通過フィルタ６ａ−１、６ｂ−１使用時は、受信可能範囲の閾値は所要電界強度がＥ１、所要ＤＵ比がＤＵ２である。一方狭帯域通過フィルタ６ａ−２、６ｂ−２使用時は、受信可能範囲の閾値は所要電界強度がＥ２、所要ＤＵ比がＤＵ１である。このように使用するフィルタにより閾値が異なるのは、図３と図４で述べたようにフィルタの動作特性が異なるからである。すなわち、広帯域通過フィルタは狭帯域通過フィルタと比べ、帯域通過フィルタによるＤＵ比の改善が劣るため、その分高い所要ＤＵ比（ＤＵ２）に設定している。一方、狭帯域通過フィルタは広帯域通過フィルタと比べ、希望信号の電界強度Ｅｄの劣化を招くため、その分高い所要電界強度（Ｅ２）に設定している。
【００３２】
本実施例では、受信信号の電界強度とＤＵ比を検知し、受信状況に応じて広帯域通過フィルタもしくは狭帯域通過フィルタを選択して使用する。これにより、１つのフィルタに固定して使用する場合に比べ、復調処理後の出力信号に含まれる誤りを低減し、受信可能とする範囲を広くできる。つまり、図４において、広帯域通過フィルタを用いることで領域（１）の受信状況を救済し、狭帯域通過フィルタを用いることで領域（２）の受信状況を救済する。その結果、受信可能な領域を（０）＋（１）＋（２）に拡大させることができる。特に、電界強度とＤＵ比の両方の受信状況に基づいてフィルタを選択するので、ＤＵ比のみに基づく場合と比較し、バランスのとれた最適な受信性能を実現することができる。
【００３３】
図６は、本実施例におけるフィルタ選択制御を示すフローチャートである。フィルタ選択制御は、復調部９の制御部１１が主体に行う。以下ステップ順に説明する。
Ｓ１０１では、受信装置が通常の受信状態となるようにチューナ部３ａ，３ｂ、復調部９の状態を初期化する。
Ｓ１０２では、各スイッチ手段５ａ，７ａ，５ｂ，７ｂを介し、広帯域通過フィルタ６ａ−１、６ｂ−１を選択する。
Ｓ１０３では、チューナ部３ａ，３ｂにより視聴するチャネルを選局する。この段階では、チューナ部３ａ，３ｂは、同一周波数にある高周波信号（希望信号）を選局する。復調処理部１０は、各チューナ部が出力する中間周波信号を復調し、最大比合成によるダイバーシティ処理を行ない、デジタル信号をバックエンド部に出力する。
【００３４】
Ｓ１０４では、復調処理部１０により希望信号の電界強度Ｅｄを取得する。この電界強度Ｅｄは、チューナ部３ａまたは３ｂに入力する高周波信号の強度である。そして、取得した希望信号の電界強度Ｅｄを図５に示した所要電界強度Ｅ２と比較判定する。
判定の結果、希望信号の電界強度Ｅｄが所要電界強度Ｅ２以上の場合には（Ｅｄ≧Ｅ２、図５の領域（０）（２）に相当）、Ｓ１０５へ進む。判定の結果、所要電界強度Ｅ２よりも小さい場合には（Ｅｄ＜Ｅ２、図５の領域（１）（３）に相当）、現在の広帯域通過フィルタの使用を継続し、Ｓ１０４に戻る。
【００３５】
Ｓ１０５では、復調処理部１０により隣接妨害信号の電界強度Ｅｕを取得する。Ｓ１０５の詳細処理については図７で後述する。
Ｓ１０６では、制御部１１は希望信号電界強度Ｅｄと隣接妨害信号電界強度Ｅｕとの比からＤＵ比を算出する（ＤＵ比＝Ｅｄ／Ｅｕ）。そして、算出したＤＵ比を図５に示した所要ＤＵ比（ＤＵ２）と比較判定する。
判定の結果、算出したＤＵ比が所要ＤＵ比（ＤＵ２）より小さい場合には（ＤＵ比＜ＤＵ２、図５の領域（２）に相当）、Ｓ１０７へ進む。判定の結果、所要ＤＵ比（ＤＵ２）以上の場合には（ＤＵ比≧ＤＵ２、図５の領域（０）に相当）、現在の広帯域通過フィルタの使用を継続し、Ｓ１０４に戻る。
【００３６】
Ｓ１０７では、各スイッチ手段５ａ，７ａ，５ｂ，７ｂを介し、広帯域通過フィルタ６ａ−１、６ｂ−１から狭帯域通過フィルタ６ａ−２、６ｂ−２へ切替える。Ｓ１０７の詳細処理については図８で後述する。
引き続き、狭帯域通過フィルタ６ａ−２、６ｂ−２使用時にも、希望信号の電界強度およびＤＵ比に基づきフィルタ切替処理を行なう。
【００３７】
Ｓ１０８では、復調処理部１０により希望信号の電界強度Ｅｄを取得する。取得した希望信号の電界強度Ｅｄを図５に示した所要電界強度Ｅ２と比較判定する。
判定の結果、希望信号の電界強度Ｅｄが所要電界強度Ｅ２よりも小さい場合には（Ｅｄ＜Ｅ２、図５の領域（１）（３）に相当）、Ｓ１０９へ進む。判定の結果、所要電界強度Ｅ２以上の場合には（Ｅｄ≧Ｅ２、図５の領域（０）（２）に相当）、現在の狭帯域通過フィルタの使用を継続し、Ｓ１０８に戻る。
【００３８】
Ｓ１０９では、復調処理部１０により隣接妨害信号の電界強度Ｅｕを取得する。Ｓ１０９の詳細処理については図７で後述する。
Ｓ１１０では、制御部１１は希望信号電界強度Ｅｄと隣接妨害信号電界強度Ｅｕとの比からＤＵ比を算出する（ＤＵ比＝Ｅｄ／Ｅｕ）。そして、算出したＤＵ比を図５に示した所要ＤＵ比（ＤＵ２）と比較判定する。
判定の結果、算出したＤＵ比が所要ＤＵ比（ＤＵ２）以上の場合には（ＤＵ比≧ＤＵ２、図５の領域（１）に相当）、Ｓ１１１へ進む。判定の結果、所要ＤＵ比（ＤＵ２）より小さい場合には（ＤＵ比＜ＤＵ２、図５の領域（３）に相当）、現在の狭帯域通過フィルタの使用を継続し、Ｓ１０８に戻る。
【００３９】
Ｓ１１１では、各スイッチ手段５ａ，７ａ，５ｂ，７ｂを介し、狭帯域通過フィルタ６ａ−２、６ｂ−２から広帯域通過フィルタ６ａ−１、６ｂ−１へ切替える。Ｓ１１１の詳細処理については図８で後述する。
【００４０】
以上のフィルタ選択制御によれば、受信状況が図５の領域（１）の場合は広帯域通過フィルタを、領域（２）の場合は狭帯域通過フィルタを使用することになり、それぞれ誤り低減のために最適なフィルタを選択することができる。なお、領域（０）の場合は双方のフィルタを使用することになるが、いずれの場合でも出力信号に含まれる誤りは許容値以下となるので問題ない。
【００４１】
図７は、図６における隣接妨害信号の電界強度の取得工程（Ｓ１０５およびＳ１０９）を詳細に示すフローチャートである。ここでは、チューナ部３ａが希望信号を受信し、チューナ部３ｂが隣接妨害信号を受信するものとする。
Ｓ２０１では、合成部１３のダイバーシティ受信を解除し、チューナ部３ａから出力される中間周波信号のみを視聴用希望信号として復調する状態へ切り替える。
【００４２】
Ｓ２０２では、視聴に使用しないチューナ部３ｂにて希望信号より低い周波数側の下隣接妨害信号を選局する。
Ｓ２０３では、強度測定部１２ｂにて下隣接妨害信号の電界強度Ｅｕ（low）を測定し、測定した電界強度Ｅｕ（low）を制御部１１へ出力する。
【００４３】
Ｓ２０４では、視聴に使用しないチューナ部３ｂにて希望信号より高い周波数側の上隣接妨害信号を選局する。
Ｓ２０５では、強度測定部１２ｂにて上隣接妨害信号の電界強度Ｅｕ（high)を測定し、測定した電界強度Ｅｕ（high)を制御部１１へ出力する。この後制御部１１は、測定された下隣接妨害信号および上隣接妨害信号の電界強度Ｅｕ（low）,Ｅｕ（high)を用いてＤＵ比を算出する（前記Ｓ１０６およびＳ１１０）。
【００４４】
Ｓ２０６では、チューナ部３ｂにて視聴中の希望信号を選局するように切り替える。
Ｓ２０７では、２つのチューナ部３ａ，３ｂから出力される中間周波信号を用いて、合成部１３はダイバーシティ受信を再開する。
【００４５】
以上の工程により２つのチューナ部３ａ，３ｂを使い分けることで、隣接妨害信号の電界強度を効率良く取得することができる。なお、上記Ｓ２０１とＳ２０７の処理を行なうことで、視聴しない隣接妨害信号を復調及びダイバーシティ合成してしまう誤動作を避けることができる。
この例では、チューナ部３ａで希望信号を受信し、チューナ部３ｂで隣接妨害信号を受信するようにしたが、両者の役割を入れ替えても構わない。
【００４６】
図８は、図６におけるフィルタ切替工程（Ｓ１０７およびＳ１１１）を詳細に示すフローチャートである。ここでは広帯域通過フィルタから狭帯域通過フィルタへ切り替える場合を説明するが、逆の切替の場合も同様である。
Ｓ３０１では、チューナ部３ｂにおいて、スイッチ手段５ｂ，７ｂを介して広帯域通過フィルタ６ｂ−１から狭帯域通過フィルタ６ｂ−２への切替を行なう。
【００４７】
Ｓ３０２では、復調処理部１０はチューナ部３ｂから入力される中間周波信号の同期確立判定を行なう。同期確立判定とは、復調処理部１０に入力される中間周波信号の復調可否を判定することである。チューナ部３ｂの同期が確立したら、Ｓ３０３へ進む。
Ｓ３０３では、チューナ部３ａにおいて、スイッチ手段５ａ，７ａを介して広帯域通過フィルタ６ａ−１から狭帯域通過フィルタ６ａ−２への切替を行なう。
【００４８】
このようにフィルタ切替処理をＳ３０１からＳ３０３のステップに分けて行なうことで、チューナ部３ａとチューナ部３ｂが同時にフィルタ切替動作に入ることがない。従って中間周波信号の瞬断はなく、復調処理部１０が出力するデジタル信号の誤り発生を防止することができる。
この例では、２つのチューナ部３ａ，３ｂにおいて、チューナ３ｂのフィルタ切替を先に行なったが、チューナ部３ａのフィルタ切替を先に行なっても構わない。
【００４９】
本実施例によれば、２系統ある受信信号経路のうち一方を使用してＤＵ比の取得を行ない、受信信号の電界強度とＤＵ比に基づき広帯域通過フィルタもしくは狭帯域通過フィルタを選択するようにしたので、常に最良の受信性能を保持するデジタル放送用ダイバーシティ受信装置を提供できる。
【実施例２】
【００５０】
図９は、本発明によるデジタル放送用ダイバーシティ受信装置の他の実施例を示すブロック図である。本実施例は、実施例１（図１）におけるスイッチ手段５ａ，５ｂ，７ａ，７ｂと、広帯域通過フィルタ６ａ−１，６ｂ−１と、狭帯域通過フィルタ６ａ−２，６ｂ−２をなくし、代わりにチューナ部３ａに帯域制限部１４ａ、チューナ部３ｂに帯域制限部１４ｂを配する構成としている。図１と同等の機能を有する機能ブロックには同一の符号を記し、説明を省略する。
【００５１】
帯域制限部１４ａおよび１４ｂは、制御部１１からの制御信号により通過特性が変化する機能を備えており、広帯域通過フィルタもしくは狭帯域通過フィルタの２つの状態を有する。そのため帯域制限部１４ａおよび１４ｂは、例えば電圧により容量が変化する可変容量ダイオードや電圧により誘導係数の変化するインダクタ等により構成される。この構成によれば、広帯域通過フィルタと狭帯域通過フィルタとの間の状態切替は経路の切替を必要としないため、中間周波信号は瞬断することなく復調部９に提供される。
【００５２】
復調処理部１０は、チューナ部３ａとチューナ部３ｂへ入力される信号の電界強度を測定し、制御部１１は、希望信号の電界強度Ｅｄおよび隣接妨害信号とのＤＵ比を算出し、帯域制限部１４ａおよび１４ｂに制御信号を出力する。
【００５３】
第１の受信系統であるチューナ部３ａの動作について説明する。アンテナ２aより入力された高周波信号は、選局処理部４ａに入力される。選局処理部４ａは、高周波信号に選局処理を行ない、帯域制限部１４ａに中間周波信号を出力する。選局処理部４ａから出力された中間周波信号は、帯域制限部１４ａの状態により広帯域通過、もしくは狭帯域通過の特性で帯域制限され、利得制御部８ａに入力される。利得制御部８ａにより強度が調整された中間周波信号は復調処理部９に入力される。
【００５４】
次に第２の受信系統であるチューナ部３ｂの動作について説明する。アンテナ２ｂより入力された高周波信号は、選局処理部４ｂに入力される。選局処理部４ｂは、高周波信号に選局処理を行ない、帯域制限部１４ｂに中間周波信号を出力する。選局処理部４ｂから出力された中間周波信号は、帯域制限部１４ｂの状態により広帯域通過、もしくは狭帯域通過の特性で帯域制限され、利得制御部８ｂに入力される。利得制御部８ｂにより強度調整された中間周波信号は復調処理部９に入力される。復調処理部１０の動作は実施例１と同様である。
【００５５】
本実施例におけるフィルタ制御動作は、実施例１と同様に、受信信号の電界強度とＤＵ比を検知し、受信状況に応じて帯域制限部１４ａおよび１４ｂを広帯域通過フィルタもしくは狭帯域通過フィルタの状態に切替えるものである。そのとき、２つの受信系統の一方で隣接妨害信号を受信しＤＵ比の検知を行なう。ただし、帯域制限部１４ａ，１４ｂによるフィルタ状態の切替では伝送する中間周波信号の瞬断が起こらないため、図８に示す同期確立の工程を施す必要はなくなる。
【００５６】
本実施例では、帯域制限部１４ａ，１４ｂは広帯域通過フィルタと狭帯域通過フィルタの２つの状態をとり得るものとしたが、さらに通過特性の種類を増やし通過帯域幅をほぼ連続的に変化させることも可能である。これによれば、受信状況に応じてさらにきめ細かにフィルタの最適化を図ることができ、より受信性能の優れたデジタル放送用ダイバーシティ受信装置を提供できる。
【００５７】
なお各実施例においては、復調処理部１０はダイバーシティ処理を行うものとして説明したが、チューナ３ａおよびチューナ３ｂにそれぞれ独立した復調処理部を接続してもよい。すなわち、２系統ある信号受信経路のうち一方を使用してＤＵ比の検知を行ない、受信信号の状態に合わせてチューナ部の帯域制限特性を制御することで、常に最良の受信状態を保つデジタル放送用受信装置を提供できる。
【符号の説明】
【００５８】
１・・・デジタル放送用ダイバーシティ受信装置、
２ａ，２ｂ・・・アンテナ、
３ａ、３ｂ・・・チューナ部、
４ａ，４ｂ・・・選局処理部、
５ａ，５ｂ，７ａ，７ｂ・・・スイッチ手段、
６ａ−１，６ｂ−１・・・広帯域通過フィルタ、
６ａ−２，６ｂ−２・・・広帯域通過フィルタ、
８ａ，８ｂ・・・可変利得制御部、
９・・・復調部、
１０・・・復調処理部、
１１・・・制御部、
１２ａ，１２ｂ・・・電界強度測定部、
１３・・・合成部、
１４ａ，１４ｂ・・・帯域制限部。
【図１】
2011120006.tif 000003
【図２】
2011120006.tif 000004
【図３】
2011120006.tif 000005
【図４】
2011120006.tif 000006
【図５】
2011120006.tif 000007
【図６】
2011120006.tif 000008
【図７】
2011120006.tif 000009
【図８】
2011120006.tif 000010
【図９】
2011120006.tif 000011